(57)【要約】【課題】  組立性や、生産性等を考慮しつつ、製品として見栄えのあるメータ装置を提供すること。【解決手段】  リング状凸部５ａの外周面基端に鍔５ｂを周設すると共に、鍔５ｂとリング状凸部５ａの外周面が交わるコーナー部５ｃを、外光Ｌが屈折するように傾斜面状に形成した略フランジ状のリング部材５を備える。そして、このリング部材５を目盛り板４の外周部に配置し、鍔５ｂとの当接面の縁部６ｂを段差状に切欠した見返し板６と上ケース１２とで鍔５ｂを挟持して、目盛り板４の意匠面側にそのリング部材５を突設する。【選択図】        図３
2006258682.tif 000002
【特許請求の範囲】
【請求項１】
外周面端部に鍔が設けられたリング部材が目盛り板の外周部に配置されると共に、ケースと見返し板とで前記鍔を挟持させて前記目盛り板の意匠面側に前記リング部材が設けられたメータ装置であって、
前記鍔と前記外周面とが交わるコーナー部が傾斜面状に形成されていることを特徴とするメータ装置。
【請求項２】
前記見返し板は、前記鍔側の縁部が切欠されていることを特徴とする請求項１記載のメータ装置。
【請求項３】
前記見返し板は、前記リング部材と対偶する板厚面が暗色になっていることを特徴とする請求項１または２記載のメータ装置。
【請求項４】
外周面端部に鍔を設けたリング部材を目盛り板の外周部に配置し、ケースと見返し板との間に前記鍔を挟持して、前記目盛り板の意匠面側に前記リング部材を設けたメータ装置の反射防止方法であって、
前記鍔と前記外周面とが交わるコーナー部を傾斜面状に形成して、前記コーナー部から正面側への反射光を減少させることを特徴とするメータ装置の反射防止方法。
【請求項５】
前記鍔側の縁部を切欠した前記見返し板を用いること特徴とする請求項４記載のメータ装置の反射防止方法。
【発明の詳細な説明】
【技術分野】
【０００１】
本発明は、車両等に搭載されるメータ装置に関し、特に、目盛り板に周設されたリング部材を有するメータ装置及びメータ装置の反射防止方法に関する。
【背景技術】
【０００２】
自動車等の車両には、速度計やエンジン回転計等のメータ装置が用いられている。このメータ装置は様々なデザイン（設計）があるが、例えば、略フランジ状のリング部材を目盛り板の外周部に配置し、目盛り板の意匠面側にそのリング部材を突設するようにしたメータ装置がある（例えば特許文献１参照）。
【０００３】
さらに、この種のリング部材を設けたメータ装置は、図４に示すような構造が一般的である。すなわち、略フランジ状のリング部材Ｂ１の外周面基端に鍔Ｂ２を周設し、ケースＢ３と見返し板Ｂ４とで鍔Ｂ２を挟持して、目盛り板Ｂ５の意匠面側にリング部材Ｂ１が突設するようにしている。
【０００４】
また、組立性や、生産性等を考慮して、見返し板Ｂ４に設けられたリング部材Ｂ１を挿入させるための開口部Ｂ６は、リング部材Ｂ１の外径（鍔を除いた部分の）より若干大きく形成されており、そのため、組立後のメータ装置は、この見返し板Ｂ４の縁部と、略フランジ状のリング部材Ｂ１の外周面との間には間隙が形成されている。
【０００５】
【特許文献１】特開２００３−３１５１１１号公報（第２頁、図２）
【発明の開示】
【発明が解決しようとする課題】
【０００６】
このように、この種の従来のメータ装置は、見返し板Ｂ４の縁部と略フランジ状のリング部材Ｂ１の外周面との間に間隙が形成されているが、その間隙の大きさによっては、下記の改良すべき点があった。
【０００７】
すなわち、鍔と外周面端部とが交わるコーナー部が直角に形成されているため、視認側からリング部材を見ると、間隙に照射された外光Ｌは鍔にあたり、反射光としてそのまま返ってきてしまう。その結果、製品としての見栄えを損ねてしまう場合があった。
【０００８】
特に、このリング部材は、メタリックな感じを演出するために、樹脂部材に金属的な処理を施している場合が多く、そのため反射率が高く、上記した不具合を助長する結果となっている。
【０００９】
そこで本発明は、組立性や、生産性等を考慮しつつ、製品として見栄えのあるメータ装置及びメータ装置の反射防止方法を提供することを目的とする。
【課題を解決するための手段】
【００１０】
上記課題を解決するために、本発明にかかるメータ装置及びメータ装置の反射防止方法は下記の技術的手段を講じた。
すなわち請求項１にかかるメータ装置は、外周面端部に鍔が設けられたリング部材が目盛り板の外周部に配置されると共に、ケースと見返し板とで前記鍔を挟持させて前記目盛り板の意匠面側に前記リング部材が設けられたメータ装置であって、前記鍔と前記外周面とが交わるコーナー部が傾斜面状に形成されていることを特徴とする。
請求項２にかかるメータ装置は、請求項１において、前記見返し板は、前記鍔側の縁部が切欠されていることを特徴とする。
請求項３にかかるメータ装置は、請求項１または２において、前記見返し板は、前記リング部材と対偶する板厚面が暗色になっていることを特徴とする。
請求項４にかかるメータ装置の反射防止方法は、外周面端部に鍔を設けたリング部材を目盛り板の外周部に配置し、ケースと見返し板との間に前記鍔を挟持して、前記目盛り板の意匠面側に前記リング部材を設けたメータ装置の反射防止方法であって、前記鍔と前記外周面とが交わるコーナー部を傾斜面状に形成して、前記コーナー部から正面側への反射光を減少させることを特徴とする。
請求項５にかかるメータ装置の反射防止方法は、請求項４において、前記鍔側の縁部を切欠した前記見返し板を用いること特徴とする。
【発明の効果】
【００１１】
請求項１または４によれば、鍔と外周面端部との交わるコーナー部を傾斜面状に形成したことで、見返し板の縁部とリング部材の外周面との間に間隙が形成していても、間隙を介して鍔へ照射された外光（照射光）の反射は、正面側（視認側）に向かうことなく、見返し板の板厚面方向に向かって反射して、正面側（視認側）への反射光が減少するから、製品として見栄えのあるメータ装置またはメータ装置の反射防止方法が提供できる。
【００１２】
請求項２または５によれば、見返し板の鍔との当接面の縁部を切欠したことで、傾斜面状のコーナー部が、見返し板の鍔との当接面の縁部と干渉することなく、組立性や、生産性等を考慮した従来の見返し板の開口部の大きさと、リング部材の外径（鍔を除いた部分）を維持することができる。
【００１３】
請求項３によれば、リング部材と対偶する見返し板の板厚面を暗色にしたことにより、見返し板の板厚面方向に向かって照射した外光の反射光は吸収されて、リング部材の外周の間隙は、暗い見切りとなって、極めて好適なメータ装置またはメータ装置の反射防止方法が提供できる。仮に、見返し板全体を板厚面と同色にすれば、外光（照射光）が間隙を介して鍔へ照射されても、間隙と見返し板全体とが一体的な色合いとなり極めて好適なメータ装置が提供できる。
【発明を実施するための最良の形態】
【００１４】
次に、本発明にかかるメータ装置Ａの実施の形態を説明する。
本実施の形態にかかるメータ装置Ａは、図１に示すように、速度計ａ１、エンジン回転計ａ２、燃料計ａ３、水温計ａ４、ギアポジション表示部ａ５、方向指示器表示部ａ６などを備えた正面視略台形状の自動車用コンビネーションメータを例示しており、図２に示すように、ケース１と、内機３を取着させた基板２と、目盛り板４と、リング部材５と、見返し板６と、指針７と、表ガラス８とを主要構成にしている。
【００１５】
ケース１は、下ケース１１と上ケース１２とを備えてなる。
下ケース１１は、先部が鍵曲がり状に形成され側壁近傍の底面からその先部が対向するように立設された係止部１１ａと、その係止部１１ａの内側近傍の底面から対向するように立設され所要位置に段差が形成された段付ボス１１ｂとを備え、縦断面視略コ字状に形成されている。
【００１６】
上ケース１２は、底面が開口されたスリ鉢状の取付部１２ａが上面の裏面に形成されると共に車両取付片１２ｂが突設された縦断面視略コ字状に形成されており、下ケース１１の側壁の内側に上ケース１２の側壁の外側が嵌り込んで、下ケース１１に上ケース１２が嵌着されている。また、上ケース１２の上面外縁部には、段差状の被係止部１２ｃが形成されている。
【００１７】
このスリ鉢状の取付部１２ａは、上面から階段状に形成され後述するリング部材５の端部と当接された第１段部１２ｄと、その第１段部１２ｄより内側に階段状に形成され後述する目盛り板４の端部と当接された第２段部１２ｅと、その第２段部１２ｅの内側から凹湾曲するように垂設され後述する基板２表面に圧接された抑え部１２ｆからなる。
【００１８】
基板２は、自動車用コンビネーションメータとしての機能を実現する所要の回路が配線されてなり、その基板２裏面の所要位置に周知構造の内機３が基板２表面側に取着されている。また、この内機３から突設された回動軸３１は、後述する目盛り板４を貫くように突設されており後述する指針７を動作させるようになっている。
【００１９】
また、基板２を挟んで内機３と反対側の基板２表面には、後述する目盛り板４を裏面から照射させるＬＥＤからなる照明光源２１が設けられている。
【００２０】
このように構成された基板２は、その基板２裏面側の端部が下ケース１１に突設された段付ボス１１ｂの段差に掛止されるように挿嵌されると同時に、下ケース１１に突設された係止部１１ａの先部に基板２表面側の縁部が掛止されて、下ケース１１に支持されている。また、これと同時に、上ケース１２の第２段部１２ｅの内側から凹湾曲するように垂設された抑え部１２ｆが、段付ボス１１ｂ側に基板２を付勢するように圧接して、基板２がガタつくことなく強固にケースに内装されている。
【００２１】
目盛り板４は、速度表示やエンジン回転数表示などを示すための数字や記号が所要の意匠でもって表面（意匠面）に施された円板状に形成されている。この目盛り板４は、その厚さが第２段部１２ｅの段差と同じ若しくは僅かに厚くなるように形成されており、第２段部１２ｅに嵌合されている。
【００２２】
リング部材５は、断面視略Ｃ字状に形成されたリング状凸部５ａの外周面基端に、第１段部１２ｄの段差と同じ若しくは僅かに厚い所要厚さの鍔５ｂが周設されて略フランジ状に形成されていると共に、その鍔５ｂとリング状凸部５ａとが交わるコーナー部５ｃが傾斜面状に形成されてなる。
この傾斜面状のコーナー部５ｃは、後述する見返し板６の板厚面６ｃの長さと略同じ長さでもって略４５度の傾斜角で形成されている。
【００２３】
このように形成されたリング部材５は、目盛り板４の端部を挟み込むように第１段部１２ｄの段差に鍔５ｂが嵌合されていると同時に、鍔５ｂと対向したリング部材５の開放端部５ｄが目盛り板４の端部近傍に当接されている。
なお、このリング部材５は、合成樹脂部材に金属を蒸着させて、高級感のあるメタリック調に構成されている。
【００２４】
見返し板６は、速度計ａ１、エンジン回転計ａ２、燃料計ａ３、水温計ａ４、ギアポジション表示部ａ５、方向指示器表示部ａ６以外を覆うように所要位置に開口部６ａが設けられた黒色の板状部材であり、上ケース１２の上面に重着されている。
【００２５】
また、この見返し板６は、見返し板６の基部（外周部）が、後述する表ガラス８と上ケース１２とで挟持されると同時に、先部が第１段部１２ｄの段差に嵌合された鍔５ｂを押圧・挟持させて、目盛り板４の意匠面側にリング部材５を突設するように支持させている。
【００２６】
この見返し板６は、鍔５ｂとの当接面の縁部６ｂが略段差状に切欠されて、傾斜面状に形成されたリング部材５のコーナー部５ｃと干渉しないようになっている。すなわち、この縁部６ｂを切欠くことで、組立性や、生産性等を考慮した従来の見返し板の開口部の大きさと、リング部材の外径（鍔を除いた部分）を維持することができるようになっている（図３参照）。なお、この略段差状に切欠された縁部６ｂを含めた板厚面６ｃも黒色になっている。
【００２７】
指針７は、目盛り板４を貫くように突設された内機３の回動軸３１の先部に取着されており、内機３で駆動された回動軸３１に連動するようになっている。
【００２８】
表ガラス８は、上ケース１２を覆うように正面視略台形状に形成されると共に縦断面視、視認側が凹湾曲形成された略コ字状に形成され、さらに、段差状の係止部８ａが開放側端部内側に設けられてなる。
【００２９】
このように形成された表ガラス８は、上ケース１２の上面外縁部に形成された段差状の被係止部１２ｃに係止部８ａが嵌合して上ケース１２に取着されると同時に、上記したように、見返し板６の基部（外周部）を係止部８ａが圧接して，上ケース１２と表ガラス８とで見返し板６を挟持させている。
【００３０】
このように本実施の形態にかかるメータ装置Ａは、リング状凸部５ａの外周面基端に鍔５ｂを周設すると共に、鍔５ｂとリング状凸部５ａの外周面が交わるコーナー部５ｃを傾斜面状に形成した略フランジ状のリング部材５を、目盛り板４の外周部に配置し、鍔５ｂとの当接面の縁部６ｂを段差状に切欠した見返し板６と上ケース１２とで鍔５ｂを挟持して、目盛り板４の意匠面側にそのリング部材５を突設してなる。
【００３１】
次に、以上のように構成された本実施の形態にかかるメータ装置Ａの作用を図３を参照しながら説明する。
メータ装置Ａに外光Ｌが照射すると、それに伴い、見返し板６の縁部６ｂとリング部材５の外周面との間に形成された間隙にも外光Ｌが照射する。
【００３２】
間隙に向かって照射した外光Ｌは、視認側に向かうことなく、見返し板６の板厚面６ｃ方向に向かって屈折し反射する。反射光は、黒色の板厚面６ｃで吸収され、間隙と見返し板６全体とが一体的な同色となる。
【００３３】
したがって、美観を損ねる間隙からの反射光は、視認側に向かうことなく吸収されて、製品として見栄えのあるメータ装置Ａが提供できる。
【００３４】
以上、本実施の形態にかかるメータ装置を説明したが、上述した実施の形態は、本発明の好適な実施の形態の一例を示すものであり、本発明はそれに限定されるものではなく、その要旨を逸脱しない範囲内において、種々変形実施が可能である。
【００３５】
例えば、本実施の形態にかかるメータ装置Ａは、リング部材５に形成した傾斜面状のコーナー部５ｃは、見返し板６の板厚面６ｃの長さと略同じ長さで形成しているが、見返し板６表面から突出するように長く形成しても良い。また、傾斜角度は、反射光を見返し板６の板厚面６ｃ方向へ屈折できればよいもので、特に限定されない。
【００３６】
また、本実施の形態では、見返し板６の縁部６ｂを略段差状に切欠しているが、斜面状に切欠してもよいものである。
【００３７】
また、本実施の形態は、メータ装置Ａを例示したが、このものに限定されず、鍔５ｂとリング状凸部５ａの外周面とが交わるコーナー部５ｃを傾斜面状に形成して、鍔５ｂへの照射光を屈折させるメータ装置Ａの反射防止方法であっても良い。この場合においても、鍔５ｂとの当接面の縁部６ｂを切欠した見返し板６を用いると共に、リング部材５と対偶する見返し板６の板厚面６ｃを黒色とすることが極めて好適である。
また、本実施の形態は、見返し板６、板厚面６ｃとを黒色にしているが、色相を有する低明度の色彩であってもよい。
【図面の簡単な説明】
【００３８】
【図１】本実施の形態にかかるメータ装置の正面図である。
【図２】図１のＸ−Ｘ線に沿える拡大縦断面図である。
【図３】図２におけるＣ部拡大図である。
【図４】従来のメータ装置の縦断面図である。
【符号の説明】
【００３９】
Ａ  メータ装置
１  ケース
１２  上ケース
１２ｄ  第１段部
１２ｅ  第２段部
５  リング部材
５ａ  リング状凸部
５ｂ  鍔
５ｃ  コーナー部
６  見返し板
６ａ  開口部
６ｂ  縁部
６ｃ  板厚面
８  表ガラス
Ｌ  外光
【図１】
2006258682.tif 000003
【図２】
2006258682.tif 000004
【図３】
2006258682.tif 000005
【図４】
2006258682.tif 000006